(57)【要約】      （修正有）【課題】折り畳み式テント用の中心二方向回転式ロック機構を提供する。【解決手段】ロックロッド１、上部ロックディスク２、及び下部ロックディスクユニットを備え、下ロックディスクユニットは、第１下部ディスク３１、ロック解除ディスク３２及び第２下部ディスク３３を備え、ロック解除ディスク内には、弾性ロック部材４及び弾性ロック部材のロックを制御するロック解除機構が設けられ、弾性ロック部材はロックロッドをロックし、ロック解除ディスクは、二方向に回転可能であり、ロック解除ディスクが回転するとき、ロック解除機構は、弾性ロック部材及びロックロッドのロックを解除する。ロック解除機構は、ロック解除ディスクの内側壁に対称的に設けられるロックブロック３８を備える。ロックブロックとロック解除ディスク内側壁との間には、弾性ロック部材の円弧部の閉鎖端を配置するための隙間が残される。【選択図】図２
0003227373.tif 000002
【実用新案登録請求の範囲】
【請求項１】
ロックロッド（１）、前記ロックロッド（１）の上端に固定して設けられる上部ロックディスク（２）、及び前記ロックロッド（１）の下端に取り外し可能に接続される下部ロックディスクユニット（３）を備える折り畳み式テント用の中心二方向回転式ロック機構であって、
前記下部ロックディスクユニット（３）は、第１下部ディスク（３１）、ロック解除ディスク（３２）、及び第２下部ディスク（３３）を備え、前記ロック解除ディスク（３２）内には、弾性ロック部材（４）及び前記弾性ロック部材（４）のロックを制御するロック解除機構が設けられ、前記弾性ロック部材（４）は前記ロックロッド（１）をロックし、前記ロック解除ディスク（３２）は、二方向に回転可能であり、前記ロック解除ディスク（３２）が回転するとき、前記ロック解除機構は、前記弾性ロック部材（４）及び前記ロックロッド（１）のロックを解除する、ことを特徴とする折り畳み式テント用の中心二方向回転式ロック機構。
【請求項２】
前記第１下部ディスク（３１）及び前記ロック解除ディスク（３２）の中心位置には、前記ロックロッド（１）が貫通するための中心孔（５）が対応して設けられ、前記第１下部ディスク（３１）の下面の前記中心孔（５）に対応する位置には、下に延びるロッキングカラム（３４）が設けられ、前記ロッキングカラム（３４）には、ロッキング空間（３５）が設けられる、ことを特徴とする請求項１に記載の折り畳み式テント用の中心二方向回転式ロック機構。
【請求項３】
前記弾性ロック部材（４）は、一体に設けられる円弧部（４１）、及び前記円弧部（４１）の切り欠きから内部へ延びる水平状の２つのロックロッド（４２）を備え、前記ロックロッド（１）の下端部には、前記ロックロッド（４２）と嵌合して使用される段差（１１）が設けられ、前記段差（１１）は、下へ円弧状構造のラッチ部（１２）を形成する、ことを特徴とする請求項２に記載の折り畳み式テント用の中心二方向回転式ロック機構。
【請求項４】
前記第２下部ディスク（３３）のエッジには、接続柱（３６）が上向きに垂直に設けられ、前記ロック解除ディスク（３２）のエッジに対応する位置には、上下に貫通する円弧状ストローク孔（３７）が設けられ、前記接続柱（３６）は、前記ストローク孔（３７）を通り抜けて締結具（６）を介して前記第１下部ディスク（３１）に固定して接続される、ことを特徴とする請求項３に記載の折り畳み式テント用の中心二方向回転式ロック機構。
【請求項５】
前記上部ロックディスク（２）は、テントの長骨にヒンジするために用いられ、前記第１下部ディスク（３１）は、テントの短骨にヒンジするために用いられ、前記ロッキング空間（３５）は、前記ロッキングカラム（３４）に対称的に設けられる２つの分割面であり、２つの水平状の前記ロックロッド（４２）は２つの分割面に係止され、２つの分割面の間の間隔が前記中心孔（５）の孔径より小さい、ことを特徴とする請求項３に記載の折り畳み式テント用の中心二方向回転式ロック機構。
【請求項６】
前記ロック解除機構は、前記ロック解除ディスク（３２）の内側壁に対称的に設けられるロックブロック（３８）を備え、前記ロックブロック（３８）と前記ロック解除ディスク（３２）の内側壁との間には、前記弾性ロック部材（４）の前記円弧部（４１）の閉鎖端を配置するための隙間が残され、前記弾性ロック部材（４）の前記ロックロッド（４２）の両端は、それぞれ対応する前記ロックブロック（３８）の両側に当接する、ことを特徴とする請求項３に記載の折り畳み式テント用の中心二方向回転式ロック機構。
【請求項７】
複数の前記接続柱（３６）が、前記第２下部ディスク（３３）のエッジに沿って均等に設けられ、前記ストローク孔（３７）の数は、前記接続柱（３６）の数と同じである、ことを特徴とする請求項４に記載の折り畳み式テント用の中心二方向回転式ロック機構。
【請求項８】
前記ストローク孔（３７）のラジアンは、前記ロック解除ディスク（３２）のラジアンと同じである、ことを特徴とする請求項４に記載の折り畳み式テント用の中心二方向回転式ロック機構。
【請求項９】
２つの前記ロックロッド（４２）の間の幅は、前記ロックブロック（３８）の幅の以上である、ことを特徴とする請求項６に記載の折り畳み式テント用の中心二方向回転式ロック機構。
【考案の詳細な説明】
【技術分野】
【０００１】
本考案は、折り畳み式テント部品の技術分野に属し、具体的には折り畳み式テント用の中心二方向回転式ロック機構に関する。
【背景技術】
【０００２】
テント産業の発展に伴い、折り畳み式テントは幅広く使用されている。折り畳み式テントの展開及び折り畳みを制御するロック部材は、各メーカーの主な研究対象となっている。該部材は、製品構造の全体複雑度、展開及び折り畳みの困難程度に直接関連し、生産コストにも関連している。従来の折り畳み式テント用のロック部材は、従来のロック部材の構造が複雑であり、操作が煩瑣であるという問題を解決したが、展開方式が制限され、特に回転して展開可能なロック部材に比べて、１つの方向しか展開できず使用が制限される。
【考案の概要】
【考案が解決しようとする課題】
【０００３】
従来技術に存在する問題に対して、本考案の設計の目的は、折り畳み式テント用の中心二方向回転式ロック機構を提供することである。該回転ロック機構は、二方向への操作を実現できる。
【課題を解決するための手段】
【０００４】
本考案は、以下の技術案で実現される。
前記折り畳み式テント用の中心二方向回転式ロック機構であって、ロックロッド、前記ロックロッドの上端に固定して設けられる上部ロックディスク、及び前記ロックロッドの下端に取り外し可能に接続される下部ロックディスクユニットを備える折り畳み式テント用の中心二方向回転式ロック機構であって、前記下部ロックディスクユニットは、第１下部ディスク、ロック解除ディスク、及び第２下部ディスクを備え、前記ロック解除ディスク内には、弾性ロック部材及び前記弾性ロック部材のロックを制御するロック解除機構が設けられ、前記弾性ロック部材は前記ロックロッドをロックし、前記ロック解除ディスクは、二方向に回転可能であり、前記ロック解除ディスクが回転するとき、前記ロック解除機構は、前記弾性ロック部材及び前記ロックロッドのロックを解除することを特徴とする。
【０００５】
前記第１下部ディスク及び前記ロック解除ディスクの中心位置には、前記ロックロッドが貫通するための中心孔が対応して設けられ、前記第１下部ディスクの下面の前記中心孔に対応する位置には、下に延びるロッキングカラムが設けられ、前記ロッキングカラムには、ロッキング空間が設けられる。
【０００６】
前記弾性ロック部材は、一体に設けられる円弧部、及び前記円弧部の切り欠きから内部へ延びる水平状の２つのロックロッドを備え、前記ロックロッドの下端部には、前記ロックロッドと嵌合して使用される段差が設けられ、前記段差は、下へ円弧状構造のラッチ部を形成する。
【０００７】
前記第２下部ディスクのエッジには、接続柱が上向きに垂直に設けられ、前記ロック解除ディスクのエッジに対応する位置には、上下に貫通する円弧状ストローク孔が設けられ、前記接続柱は、前記ストローク孔（３７）を通り抜けて締結具を介して前記第１下部ディスクに固定して接続される。このような設置によって、第１下部ディスク及び第２下部ディスクが動かない前提で、ロック解除ディスクが回転できる。
【０００８】
前記上部ロックディスクは、テントの長骨にヒンジするために用いられ、前記第１下部ディスクは、テントの短骨にヒンジするために用いられ、前記ロッキング空間は、前記ロッキングカラムに対称的に設けられる２つの分割面であり、２つの水平状の前記ロックロッドは２つの分割面に係止され、２つの分割面の間の間隔が前記中心孔の孔径より小さい。このような設置によって、中心孔の最上部から２つのロックロッドが見える。
【０００９】
前記ロック解除機構は、前記ロック解除ディスクの内側壁に対称的に設けられるロックブロックを備え、前記ロックブロックと前記ロック解除ディスクの内側壁との間には、前記弾性ロック部材の前記円弧部の閉鎖端を配置するための隙間が残され、前記弾性ロック部材の前記ロックロッドの両端は、それぞれ対応する前記ロックブロックの両側に当接する。
【００１０】
複数の前記接続柱が、前記第２下部ディスクのエッジに沿って均等に設けられ、前記ストローク孔の数は、前記接続柱の数と同じであり、前記接続柱は、好ましくは３つ〜４つ設けられる。
【００１１】
前記円弧状ストローク孔のラジアンは、前記ロック解除ディスクのラジアンと同じであり、このような設置によって、ロック解除ディスクがスムーズに回転しやすい。
【００１２】
２つの前記ロックロッドの間の幅は、前記ロックブロックの幅以上である。
【考案の効果】
【００１３】
本考案は、構造設計が合理的であり、回転機構を設置することによって、ロック機構の二方向回転を実現できる。また、本考案は、ロック解除ディスクの設置によって、ロック解除ディスクを回転して緩めればロックロッドのロックを解除でき、迅速かつ容易に操作でき、実用性が高い。
【図面の簡単な説明】
【００１４】
【図１】本考案の一体構造模式図である。
【図２】本考案の展開図である。
【図３】本考案の他の角度の展開図である。
【図４】本考案の断面図である。
【図５】本考案の第１下部ディスクの立体構造図である。
【図６】図５の上面構造模式図である。
【図７】図６のＡ−Ａ面の断面図である。
【図８】図６のＣ−Ｃ面の断面図である。
【図９】第１下部ディスクと弾性ロック部材との組み立て構造模式図である。
【図１０】本考案のロック解除ディスクの構造模式図である。
【図１１】ロック解除ディスクと弾性ロック部材との組み立て構造模式図である。
【図１２】ロック解除ディスクを時計回りに回転する構造模式図である。
【図１３】ロック解除ディスクを反時計回りに回転する構造模式図である。
【考案を実施するための形態】
【００１５】
以下、明細書の図面を参照しながら、本考案を更に詳細に説明し、具体的な実施形態を上げる。
【００１６】
本考案の折り畳み式テント用の中心二方向回転式ロック機構は、主に折り畳み式テントの展開及び折り畳みに用いられる。その構造は図１−１１に示すように、ロックロッド、ロックロッドの上端に固定して設けられる上部ロックディスク、及びロックロッドの下端に取り外し可能に接続される下部ロックディスクユニットを備える。下部ロックディスクユニットは上から下へ順に第１下部ディスク、ロック解除ディスク及び第２下部ディスクを備える。上部ロックディスクは、テントの長骨にヒンジするために用いられる。第１下部ディスクは、テントの短骨にヒンジするために用いられる。ロック解除ディスク内には、弾性ロック部材及び弾性ロック部材のロックを制御するロック解除機構が設けられる。弾性ロック部材は、一体に設けられる円弧部、及び円弧部の切り欠きから内部へ延びる水平状２つのロックロッドを備える。ロックロッドの下端部には、ロックロッドと嵌合して使用される段差が設けられる。段差は、下へ円弧状構造のラッチ部を形成する。
好ましくは、第１下部ディスク及びロック解除ディスクの中心位置には、ロックロッドが貫通するための中心孔が対応して設けられる。第１下部ディスクの下面の中心孔に対応する位置には、一体に設けられた、下に延びる円筒状構造のロッキングカラムが設けられる。ロッキングカラムには、ロッキング空間が設けられる。該ロッキング空間は、ロッキングカラムに対称的に設けられる２つの分割面であり、２つの水平状のロックロッドは２つの分割面に係止され、２つの分割面の間の間隔が中心孔の穴径より小さい。
【００１７】
好ましくは、第２下部ディスクのエッジには、接続柱が上向きに垂直に設けられ、ロック解除ディスクのエッジに対応する位置には、上下に貫通する円弧状ストローク孔が設けられる。接続柱は、ストローク孔を通り抜けて締結具を介して第１下部ディスクに固定して接続される。スムーズに回転しやすいように、円弧状ストローク孔のラジアンは、ロック解除ディスクのラジアンと同じである。複数の接続柱が、第２下部ディスクのエッジに沿って均等に設けられ、円弧状ストローク孔の数は、接続柱の数と同じであり、好ましくは３つ〜４つ設けられる。
【００１８】
好ましくは、ロック解除機構は、ロック解除ディスクの内側壁に対称的に設けられるロックブロックを備える。ロックブロックとロック解除ディスク内側壁との間には、弾性ロック部材の円弧部の閉鎖端を配置するための隙間が残される。２つのロックロッドの間の幅がロックブロックの幅以上になるように、弾性ロック部材のロックロッドの両端は、それぞれ対応するロックブロックの両側に当接する。
【００１９】
本考案は、ロック解除するとき、ロック解除ディスクを回転して緩めれば、図１２−１３に示すように、弾性ロック部材のロックロッドの両端の２つの相対側のうちの一方の相対側が対応する各ロックブロックに斜めに当接し、他方の相対側がそれぞれ対応するロックブロックから斜めに離れることで、２つのロックロッドの間の間隔が大きくなり、ラッチ部が２つのロックロッドの間から離脱して、ロックロッドが弾性ロック部材から離脱して、ロック解除を実現する。
【符号の説明】
【００２０】
１−ロックロッド、１１−段差、１２−ラッチ部、２−上部ロックディスク、３−下部ロックディスクユニット、３１−第１下部ディスク、３２−ロック解除ディスク、３３−第２下部ディスク、３４−ロッキングカラム、３５−ロッキング空間、３６−接続柱、３７−ストローク孔、３８−ロックブロック、４−弾性ロック部材、４１−円弧部、４２−ロックロッド、５−中心孔、６−締結具。
【図１】
0003227373.tif 000003
【図２】
0003227373.tif 000004
【図３】
0003227373.tif 000005
【図４】
0003227373.tif 000006
【図５】
0003227373.tif 000007
【図６】
0003227373.tif 000008
【図７】
0003227373.tif 000009
【図８】
0003227373.tif 000010
【図９】
0003227373.tif 000011
【図１０】
0003227373.tif 000012
【図１１】
0003227373.tif 000013
【図１２】
0003227373.tif 000014
【図１３】
0003227373.tif 000015
【手続補正書】
【提出日】令和2年5月25日(2020.5.25)
【手続補正１】
【補正対象書類名】実用新案登録請求の範囲
【補正対象項目名】全文
【補正方法】変更
【補正の内容】
【実用新案登録請求の範囲】
【請求項１】
ロックロッド（１）、前記ロックロッド（１）の上端に固定して設けられる上部ロックディスク（２）、及び前記ロックロッド（１）の下端に取り外し可能に接続される下部ロックディスクユニット（３）を備える折り畳み式テント用の中心二方向回転式ロック機構であって、
前記下部ロックディスクユニット（３）は、第１下部ディスク（３１）、ロック解除ディスク（３２）、及び第２下部ディスク（３３）を備え、前記ロック解除ディスク（３２）内には、弾性ロック部材（４）及び前記弾性ロック部材（４）のロックを制御するロック解除機構が設けられ、前記弾性ロック部材（４）は前記ロックロッド（１）をロックし、前記ロック解除ディスク（３２）は、二方向に回転可能であり、前記ロック解除ディスク（３２）が回転するとき、前記ロック解除機構は、前記弾性ロック部材（４）及び前記ロックロッド（１）のロックを解除し、
前記弾性ロック部材（４）は、一体に設けられる円弧部（４１）、及び前記円弧部（４１）の切り欠きから内部へ延びる水平状の２つのロックロッド（４２）を備え、前記ロックロッド（１）の下端部には、前記ロックロッド（４２）と嵌合して使用される段差（１１）が設けられ、前記段差（１１）は、下へ円弧状構造のラッチ部（１２）を形成し、
前記ロック解除機構は、前記ロック解除ディスク（３２）の内側壁に対称的に設けられるロックブロック（３８）を備え、前記ロックブロック（３８）と前記ロック解除ディスク（３２）の内側壁との間には、前記弾性ロック部材（４）の前記円弧部（４１）の閉鎖端を配置するための隙間が残され、前記弾性ロック部材（４）の前記ロックロッド（４２）の両端は、それぞれ対応する前記ロックブロック（３８）の両側に当接する、ことを特徴とする折り畳み式テント用の中心二方向回転式ロック機構。
【請求項２】
前記第１下部ディスク（３１）及び前記ロック解除ディスク（３２）の中心位置には、前記ロックロッド（１）が貫通するための中心孔（５）が対応して設けられ、前記第１下部ディスク（３１）の下面の前記中心孔（５）に対応する位置には、下に延びるロッキングカラム（３４）が設けられ、前記ロッキングカラム（３４）には、ロッキング空間（３５）が設けられる、ことを特徴とする請求項１に記載の折り畳み式テント用の中心二方向回転式ロック機構。
【請求項３】
前記第２下部ディスク（３３）のエッジには、接続柱（３６）が上向きに垂直に設けられ、前記ロック解除ディスク（３２）のエッジに対応する位置には、上下に貫通する円弧状ストローク孔（３７）が設けられ、前記接続柱（３６）は、前記ストローク孔（３７）を通り抜けて締結具（６）を介して前記第１下部ディスク（３１）に固定して接続される、ことを特徴とする請求項１に記載の折り畳み式テント用の中心二方向回転式ロック機構。
【請求項４】
前記上部ロックディスク（２）は、テントの長骨にヒンジするために用いられ、前記第１下部ディスク（３１）は、テントの短骨にヒンジするために用いられ、前記ロッキング空間（３５）は、前記ロッキングカラム（３４）に対称的に設けられる２つの分割面であり、２つの水平状の前記ロックロッド（４２）は２つの分割面に係止され、２つの分割面の間の間隔が前記中心孔（５）の孔径より小さい、ことを特徴とする請求項２に記載の折り畳み式テント用の中心二方向回転式ロック機構。
【請求項５】
複数の前記接続柱（３６）が、前記第２下部ディスク（３３）のエッジに沿って均等に設けられ、前記ストローク孔（３７）の数は、前記接続柱（３６）の数と同じである、ことを特徴とする請求項３に記載の折り畳み式テント用の中心二方向回転式ロック機構。
【請求項６】
前記ストローク孔（３７）のラジアンは、前記ロック解除ディスク（３２）のラジアンと同じである、ことを特徴とする請求項３に記載の折り畳み式テント用の中心二方向回転式ロック機構。
【請求項７】
２つの前記ロックロッド（４２）の間の幅は、前記ロックブロック（３８）の幅の以上である、ことを特徴とする請求項１に記載の折り畳み式テント用の中心二方向回転式ロック機構。